(57)【要約】【課題】リール本体に形成される収容部内に設けられる駆動部への浸水を確実に防止でき、水等が浸入し易い過酷な環境下においても常に安定した駆動性能を得ることができる魚釣用リールを提供する。【解決手段】本発明の魚釣用リールは、リール本体１に凹状に形成され、ハンドルの操作で連動回転する駆動部材８を収容支持する収容凹部４０と、収容凹部４０の開口部４２ａと駆動部材８との間に磁気回路を形成し、この間に磁性流体５５を保持することにより開口部４２ａをシールする磁気シール機構５０とを備える。【選択図】図２
2010187566.tif 000002
【特許請求の範囲】
【請求項１】
リール本体に内蔵された巻き取り駆動機構に連結されるハンドルの回転操作により、リール本体に支持されたスプールに釣糸を巻回する魚釣用リールにおいて、
リール本体に凹状に形成され、前記ハンドルの操作で連動回転する駆動部材を収容支持する収容凹部と、
前記収容凹部の開口部と前記駆動部材との間に磁気回路を形成し、この間に磁性流体を保持することにより前記開口部をシールする磁気シール機構と、
を備えることを特徴とする魚釣用リール。
【請求項２】
前記磁気シール機構は、磁石と、前記駆動部材に嵌合されて前記磁石との間で磁気回路を形成する筒状の磁性体と、前記磁石と前記磁性体との間に保持される磁性流体とによって構成されることを特徴とする請求項１に記載の魚釣用リール。
【請求項３】
筒状の前記磁性体は、非磁性の前記駆動部材に回り止め嵌合されることを特徴とする請求項２に記載の魚釣用リール。
【請求項４】
前記磁石は、前記収容凹部の前記開口部をカバーするカバー部材によって支持されることを特徴とする請求項２に記載の魚釣用リール。
【請求項５】
前記収容凹部内に逆転防止機構が設けられることを特徴とする請求項１ないし請求項４のいずれか１項に記載の魚釣用リール。
【発明の詳細な説明】
【技術分野】
【０００１】
本発明は、ハンドルの回転操作で駆動する巻き取り駆動機構や逆転防止機構等の駆動部を収容するリール本体を備えた魚釣用リールに関する。
【背景技術】
【０００２】
通常、魚釣用リールは、ハンドルを回転操作することで、動力伝達機構を介して釣糸をスプールに巻回するように構成されている。例えば、魚釣用リールとしてのスピニングリールでは、ハンドルの回転操作により駆動軸を介して釣糸案内部を有するロータを回転させ、スプールに釣糸を巻回する。また、このような魚釣用リールには、実釣時にスプールに巻回されている釣糸の繰り出しでロータが逆転しないように、逆転防止装置が装備されている。
【０００３】
ところで、魚釣用リールは、海水、砂、異物等が付着・侵入し易い厳しい環境下で使用される。そのため、リールの各部に防水対策が施される。例えば特許文献１に開示されるスピニングリールでは、リール本体の前部に形成される筒状部内の駆動軸との間に設けられる逆転防止機構にシール部材によって防水構造を施し、内部へ水が浸入しないようにしている。
【先行技術文献】
【特許文献】
【０００４】
【特許文献１】特許第３９８１２１９号公報
【発明の概要】
【発明が解決しようとする課題】
【０００５】
特許文献１に開示される前記防水構造は、リール本体の前部に形成される収容部としての前記筒状部の開口をカバー部材によってカバーするとともに、該カバー部材の外周に被覆される弾性部材の内周縁部のリップ部を、前記筒状部内に配設される駆動軸の外周に摩擦接触させることにより、内部への浸水を防止するようになっている。
【０００６】
しかしながら、前記防水構造では、部品寸法のバラツキ等の影響により、前記筒状部内に設けられるカバー部材の前記リップ部先端と駆動軸との間の同芯度を高精度に得ることが難しく、そのため、前記リップ部と前記駆動軸との摩擦接触圧が一定せず、防水性能が安定しない。また、使用経過に伴って前記リップ部の先端が摩耗し易く、その場合には、防水性能が低下してしまう。
【０００７】
また、摩擦接触圧のバラツキ等の影響により、回転部品の回転性能が低下する（回転が重くなる）等の課題も残されている。
【０００８】
本発明は、前記事情に着目してなされたものであり、その目的とするところは、リール本体に形成される収容部内に設けられる駆動部への浸水を確実に防止でき、水等が浸入し易い過酷な環境下においても常に安定した駆動性能を得ることができる魚釣用リールを提供することにある。
【課題を解決するための手段】
【０００９】
前記課題を解決するために、本発明は、リール本体に内蔵された巻き取り駆動機構に連結されるハンドルの回転操作により、リール本体に支持されたスプールに釣糸を巻回する魚釣用リールにおいて、リール本体に凹状に形成され、前記ハンドルの操作で連動回転する駆動部材を収容支持する収容凹部と、前記収容凹部の開口部と前記駆動部材との間に磁気回路を形成し、この間に磁性流体を保持することにより前記開口部をシールする磁気シール機構とを備えることを特徴とする。
【００１０】
上記構成によれば、磁気回路によって磁性流体を保持する磁気シール機構により収容凹部の開口部が効果的且つ確実にシールされるため、収容凹部内への浸水を確実に防止でき、収容凹部内に収容される前記駆動部材を含む様々な駆動要素（例えば、逆転防止機構やギアなど）を海水、砂、異物等から保護することができる。そのため、水等が浸入し易い過酷な環境下においても常に安定した駆動性能（例えば、逆転防止機能、巻き取り駆動性能など）を得ることができる。
【００１１】
なお、上記構成において、駆動部材は、回転動作し或いは軸方向に摺動する様々な部材、例えば、ピニオンギア（または、これと一体の軸部材）やハンドル軸、あるいは、そのような部材と共に一体回転し或いは一体摺動する部材等を含む。
【００１２】
また、上記構成において、前記磁気シール機構は、磁石と、前記駆動部材に嵌合されて前記磁石との間で磁気回路を形成する筒状の磁性体と、前記磁石と前記磁性体との間に保持される磁性流体とによって構成されてもよい。これによれば、駆動部材に対して筒状の磁性体を嵌合することにより磁気シールが構成されるため、例えば駆動部材を腐食し易い磁性材料で形成する必要も無く、それにより、駆動部材の腐食等を防止でき（したがって、駆動部材に腐食処理等を施す必要がなく）、また、駆動部材を形成する材料が制約されることもないため、最適な材料を選択することが可能になる。また、嵌合される筒状の磁性体により、シール領域における同芯度（駆動部材と磁気シールとの同芯度）を高精度で得ることができ、したがって、常に確実なシール状態を実現でき、防水性能の安定性に優れる。なお、磁気シール機構を構成する筒状の磁性体は、魚釣用リールの駆動部材に直接に嵌合されなくてもよい。例えば、各種の駆動部材に装着される非磁性の例えばカラー部材等に対して筒状の磁性体が嵌合される構成であってもよい。また、筒状の磁性体は、非磁性のカラー部材の外周面に例えばメッキ、蒸着（物理的蒸着、化学的蒸着など）によって被着される磁性材料から成っていてもよい。
【００１３】
また、上記構成において、筒状の前記磁性体は、非磁性の前記駆動部材に回り止め嵌合されてもよく、また、前記磁石は、前記収容凹部の前記開口部をカバーするカバー部材によって支持されてもよい。
【発明の効果】
【００１４】
本発明によれば、リール本体に形成される収容部内に設けられる駆動部への浸水を確実に防止でき、水等が浸入し易い過酷な環境下においても常に安定した駆動性能を得ることができる魚釣用リールを提供できる。
【図面の簡単な説明】
【００１５】
【図１】本発明の第１の実施形態に係る魚釣用リールの一部断面を有する側面図である。
【図２】図１の魚釣用リールの要部の拡大断面図である。
【図３】図２のＡ−Ａ線に沿う断面図である。
【図４】本発明の第２の実施形態に係る魚釣用リールの要部の拡大断面図である。
【図５】本発明の第３の実施形態に係る魚釣用リールの要部の拡大断面図である。
【図６】本発明の第４の実施形態に係る魚釣用リールの要部の拡大断面図である。
【図７】本発明の第５の実施形態に係る魚釣用リールの断面図である。
【図８】図７の魚釣用リールの要部の拡大断面図である。
【発明を実施するための形態】
【００１６】
以下、本発明に係る魚釣用リールの実施形態について、添付図面を参照して具体的に説明する。
【００１７】
図１〜図３は本発明の第１の実施形態に係る魚釣用リールとしてのスピニングリールを示している。図１に示されるように、本実施形態に係るスピニングリールのリール本体１には、釣竿に装着されるリール脚２が一体形成されており、その前方には回転可能に支持されたロータ３と、ロータ３の回転運動と同期して前後動可能に支持されたスプール４が配設されている。
【００１８】
ロータ３は、スプール４の周囲を回転する一対の腕部３ａを備えており、各腕部３ａの夫々の前端部には、ベール３ｂの基端部を取り付けたベール支持部材３ｃが釣糸巻取り位置と釣糸放出位置との間で回動自在に支持されている。なお、ベール３ｂの一方の基端部は、ベール支持部材３ｃに一体的に設けられた釣糸案内部３ｄに取り付けられている。
【００１９】
リール本体１内には、ハンドル軸５が回転可能に支持されており、その突出端部には、ハンドル６が取り付けられている。また、ハンドル軸５には、巻き取り駆動機構が係合しており、この巻き取り駆動機構は、ハンドル軸５に一体回転可能に装着された駆動ギヤ７と、この駆動ギヤ７に噛合すると共にハンドル軸５と直交する方向に延出し、内部に軸方向に延出する空洞部が形成されたピニオン８とを備えている。
【００２０】
ピニオン８は、軸受９を介してリール本体１内に回転可能に支持されるとともに、スプール４側に向けて延出しており、その先端部において、ロータ３が取り付けられている。なお、軸受９は、リール本体１に螺合される軸受止めネジ３０によって保持される。
【００２１】
また、ピニオン８には、その中間部分にころがり式一方向クラッチ１０が取り付けられており、リール本体１の外部に設けられた切換操作レバー１１を回動操作することで一方向クラッチ１０を作動させ、ハンドル６（ロータ３）の釣糸繰出し方向の逆回転を防止する公知の逆転防止機構（ストッパ）を構成するようになっている。
【００２２】
ピニオン８の内部に形成された空洞部には、ハンドル軸５と直交する方向に延出し、先端側にスプール４を装着したスプール軸１２が軸方向に移動可能に挿通されている。また、ピニオン８には、スプール４（スプール軸１２）を前後往復動させるための公知のスプール往復動装置１３が係合している。
【００２３】
このような構成を有する魚釣用スピニングリールにおいて、ハンドル６により巻き取り操作を行うと、ロータ３が巻き取り駆動機構を介して回転駆動される共に、スプール４がスプール往復動装置１３を介して前後往復動されるので、釣糸は、釣糸案内部３ｄを介してスプール４の巻回胴部４ａに均等に巻回されるようになっている。
【００２４】
図２に示されるように、前記ころがり式一方向クラッチ１０は、ピニオン８に対して回り止め嵌合された内輪２１と、内輪２１の外側に配された保持器２７と、保持器２７の外側に配された外輪２５とを有している。
【００２５】
外輪２５の内周面には、保持器２７によって保持された複数の転動部材２８がフリーに回転できるフリー回転領域と、複数の転動部材の回転を阻止する楔領域とが形成されており、各転動部材は、保持器２７に設けられたバネ部材によって楔領域に付勢されている。なお、外輪２５は、保持器２７の径方向外側に同心的に配置される回り止めプレート３７によってリール本体１に対する回転が阻止されている。具体的には、図３に明確に示されるように、回り止めプレート３７の周方向の一部には径方向外側に突出する係止凸部３７ａが設けられており、この係止凸部３７ａが外輪２５の切り欠き２５ａを通じてリール本体１の係止溝３９に係止されることにより、外輪２５が係止凸部３７ａによりリール本体１に対して回り止めされるようになっている。
【００２６】
このような構成の一方向クラッチ１０において、ピニオン８と共に内輪２１が正回転（ロータ３が釣糸巻取り方向に回転）すると、保持器２７の転動部材２８が外輪２５のフリー回転領域に位置され、そのため、内輪２１の回転力が外輪２５に伝達されず（外輪２５によって阻止されず）、したがって、ピニオン８と共にロータ３が支障なく回転する。これに対して、ピニオンギヤ１３と共に内輪２１が逆回転（ロータ８が釣糸繰出し方向に回転）しようとすると、保持器２７の転動部材が外輪２５の楔領域に位置するため、内輪２１の回転力が外輪２５に伝達され、これがストッパとなって、ピニオン８およびロータ３の回転（逆回転）が阻止される。
【００２７】
また、このような一方向クラッチ１０を伴う逆転防止機構の作動は前記切換操作レバー１１によって切り換え制御できるようになっている。具体的には、図２および図３に示されるように、切換操作レバー１１は、リール本体１内でスプール軸１２と略平行に延びる切り換えカム３３を有しており、この切り換えカム３３の先端突部３３ａは作動アーム３２の係合孔３２ａに係合している。また、作動アーム３２は、外輪２５の切り欠き２５ｂを通じて保持器２７に連結されている。したがって、この構成では、切換操作レバー１１を回動操作することにより、切り換えカム３３および作動アーム３２を介して保持器２７を回動させれば、保持器２７に保持される転動部材２８をバネ部材の付勢力に抗して外輪２５のフリー回転領域に強制的に保持させる逆転可能位置（ロータ３を逆回転させることができる位置）と、転動部材をバネ部材の付勢力によって外輪２５の楔領域に位置させるようにする逆転防止位置（ロータ３の逆回転を防止する位置）との間で選択的に切り換えることができる。
【００２８】
次に、上記構成のスピニングリール内に配設される磁気シール機構について説明する。
図２に示されるように、リール本体１には、ハンドル６の操作で連動回転する駆動部材としてのピニオン８（及び／又は、これと一体に回転する内輪２１）を部分的に収容して軸受９により支持する収容凹部４０が凹状に形成されている。また、収容凹部４０は、前述した逆転防止機構の一方向クラッチ１０を内部に位置決め状態で収容保持する（収容凹部４０内に逆転防止機構が設けられる）とともに、スプール４側に面する前方側に開口４０ａを有している。この開口４０ａには図中に矢印で示されるルートを経て水分や異物等が侵入する虞があるため、開口４０ａがカバー部材４２によって部分的に閉じられるとともに、カバー部材４２によって部分的に残された開口部４２ａには、この開口部４２ａと非磁性材料（例えば、銅合金、アルミ合金等）から成るピニオン８の外周面との間に磁気回路を形成し且つこの間に磁性流体を保持することにより開口部４２ａをシールする磁気シール機構５０が設けられる。なお、カバー部材４２は、その外周端部が止めネジ６０によってリール本体１に取り付けられるとともに、カバー部材４２の外周端部の内面とリール本体１の取り付け端面との間にはシール部材６２が介挿されている。
【００２９】
一方向クラッチ１０やピニオン８等の駆動要素を収容する収容凹部４０内をシールする磁気シール機構５０は、ピニオン８を所定の隙間を存して囲繞するように配される磁石５１と、これを保持する保持部材（磁気リング）５２と、ピニオン８に嵌合（外嵌）されて磁石５１との間で磁気回路を形成する（したがって、少なくとも保持部材５２と対向する軸方向長さを有する）筒状の磁性体５３と、磁石５１と筒状の磁性体５３との間に保持される磁性流体５５とにより１つのユニットとして構成される（すなわち、リール本体１からカバー部材４２を外せば、カバー部材４２と共に磁気シール機構５０（磁石５１、保持部材５２、磁性体５３、磁性流体５５）も一体で外れる）。
【００３０】
この場合、磁石５１は、ピニオン８を挿通させるように、所定の厚さを具備してリング状に形成されており、保持部材５２は、そのように形成された磁石５１を両側から挟持して保持するように構成されている。
【００３１】
なお、保持部材５２は、リング状の磁石５１を挟持して保持し且つその内側に周方向に沿って凹所５１Ａが生じるように形成されており、磁石５１と共にカバー部材４２によって支持される。具体的には、保持部材５２は、その一方側で対面接触するカバー部材４２とその他方側で対面接触し且つカバー部材４２の内面に取着される支持板６３との間に挟圧保持されており、カバー部材４２と保持部材５２との間にはシール部材６９が介挿される。また、保持部材５２は、筒状の磁性体５３の外表面との間に僅かな隙間Ｇが生じるように構成されている。
【００３２】
筒状の磁性体５３は、鉄系の材料、例えば、鋼材、ＳＵＳ４３０、ＳＵＳ４４０Ｃ、ＳＵＳ６３０等によって形成されており、これにより、磁石５１によって、これを保持する保持部材５２および筒状の磁性体５３との間に磁気回路が形成されるようになっている。なお、筒状の磁性体５３の長さについては、前記磁気回路が生じる程度の長さ（磁性流体５５を安定して保持できる程度の長さ）を有していれば良く、保持部材５１がカバーされるように、保持部材５２の軸方向長さよりも多少長く形成される。また、磁性体５３は、一端が一方向クラッチ１０の内輪２１の端面に当て付けられ且つ他端がロータ３の端面に当て付けられることによって位置決めされている。この場合、磁性体５３は、非磁性のピニオン８に対して回り止め嵌合されることが好ましい。すなわち、筒状の磁性体５３がピニオン８と一体回転するように回り止め嵌合（円形嵌合支持）されることにより、磁性体５３の内周とピニオン８の外周との間に水分等が侵入することを効果的に抑制できる。
【００３３】
磁性流体５５は、例えばＦｅ３Ｏ４のような磁性微粒子を、界面活性剤およびベースオイルに分散させて構成されたものであり、粘性があって磁石を近づけると反応する特性を備えている。このため、磁性流体５５は、図２に示されるように、磁石５１、これを保持する保持部材５２、および、筒状の磁性体５３によって形成される磁気回路によって、前記凹所５１Ａ内および前記隙間Ｇ内に安定して保持され、開口部４２ａをシールする。
【００３４】
以上のように、本実施形態によれば、磁気回路によって磁性流体５５を保持する磁気シール機構５０により収容凹部４０の開口部４２ａが効果的且つ確実にシールされるため、収容凹部４０内への浸水を確実に防止でき、収容凹部４０内に収容されるピニオン８を含む様々な駆動要素（例えば、逆転防止機構の一方向クラッチ１０など）を海水、砂、異物等から保護することができる。そのため、水等が浸入し易い過酷な環境下においても常に安定した駆動性能（例えば、逆転防止機能、巻き取り駆動性能など）を得ることができる。
【００３５】
また、上記構成において、磁気シール機構５０は、磁石５１と、ピニオン８に嵌合されて磁５１石との間で磁気回路を形成する筒状の磁性体５３と、磁石５１と磁性体５３との間に保持される磁性流体５５とによって構成されている。このように、ピニオン８に対して筒状の磁性体５３を嵌合することにより磁気シールが構成されれば、例えばピニオン８を腐食し易い磁性材料で形成する必要も無く、それにより、ピニオン８の腐食等を防止でき（したがって、ピニオン８に腐食処理等を施す必要がなく）、また、ピニオン８を形成する材料が制約されることもないため、最適な材料を選択することが可能になる。また、嵌合される筒状の磁性体５３により、シール領域における同芯度（ピニオン８と磁気シールとの同芯度）を高精度で得ることができ、したがって、常に確実なシール状態を実現でき、防水性能の安定性に優れる。
【００３６】
図４は本発明の第２の実施形態を示している。図示のように、本実施形態では、一方向クラッチ１０の内輪２１と磁気シール機構５０の磁性体５３とが一体に形成されている。なお、それ以外の構成は前述した第１の実施形態と同一である。したがって、第１の実施形態と同一の作用効果を得ることができるとともに、部品点数を減らすことができ有益である。
【００３７】
図５は本発明の第３の実施形態を示している。図示のように、本実施形態では、磁石５１を保持する保持部材５２がカバー部材４２を兼用している。すなわち、保持部材５２および磁石５１がカバー部材４２としての機能を果たしている。なお、それ以外の構成は前述した第１の実施形態と同一である。したがって、第１の実施形態と同一の作用効果を得ることができるとともに、部品点数を減らすことができ有益である。
【００３８】
図６は本発明の第４の実施形態を示している。図示のように、本実施形態では、前述した磁気回路を構成する磁石５１を、保持部材に保持させるのではなく、直接にカバー部材４２によって支持している。すなわち、磁石５１をカバー部材４２と支持板６３とによって挟持し、磁石５１とカバー部材４２との間にシール部材６９を介挿させている。この場合、磁石５１を予めリング状に形成しておくと共に、その内周面に、磁性流体５５を保持するように、凹溝５１ａが形成されている。すなわち、この凹溝５１ａは、筒状の磁性体５３の外周面に対向するように周方向に沿って形成されており、凹溝５１ａ内に磁性流体５５が保持されるようになっている。このような構成によれば、構造を簡略化して、部品点数を削減することができ有益である。
【００３９】
図７および図８は本発明の第５の実施形態を示している。前述した実施形態では、魚釣用リールとしてスピニングリールを例示したが、この第５の実施形態では、本発明が両軸受型リールに適用される。
【００４０】
図示のように、両軸受型リールのリール本体１０１は、左右フレーム１０２ａ，１０２ｂと、これら左右フレーム１０２ａ，１０２ｂに所定の空間をもって装着される左右側板１０３ａ，１０３ｂとを備えている。左右フレーム１０２ａ，１０２ｂ（左右側板１０３ａ，１０３ｂ）間には、スプール軸１０５が回転可能に支持されており、このスプール軸１０５には、釣糸が巻回されるスプール１０６が取り付けられている。
【００４１】
右側板１０３ｂ側には、ハンドル１０８を装着したハンドル軸１０９が回転可能に支持されている。このハンドル軸１０９には、巻き取り駆動機構が連結されており、ハンドル１０８を回転操作することで、巻き取り駆動機構を介してスプール１０６が回転駆動されるようになっている。なお、ハンドル軸１０９は、右側板との間に介在された一方向クラッチ１１０によって、釣糸巻取方向にのみ回転可能となっている。
【００４２】
前記巻取り駆動機構は、ハンドル軸１０９にドラグ機構を介して回転可能に支持された駆動歯車１１２とこの駆動歯車１１２に噛合するピニオン１１３とを備えている。ピニオン１１３は、公知のクラッチ機構を介してスプール軸１０５と継脱されるように構成されており、クラッチＯＮ状態では、ハンドル１０８の回転駆動力を駆動歯車１１２およびピニオン１１３を介してスプール１０６に伝達し、クラッチＯＦＦ状態では、駆動力伝達状態を解除してスプール１０６をフリー回転状態にするようになっている。なお、上記したクラッチ動作は、リール本体１０１から突出した操作レバー（図示せず）を操作することで行なわれる。
【００４３】
左右側板１０３ａ，１０３ｂ間には、スプール１０６の前方に、レベルワインド機構１２０が設けられている。レベルワインド機構１２０は、スプール１０６の前方で左右に往復動すると共に、釣糸が挿通される挿通孔を具備した釣糸案内体１２１と、左右側板１０３ａ，１０３ｂ間に支持され、外周にエンドレスカム溝１２３ａが形成されたウォームシャフト１２３とを有している。
【００４４】
このウォームシャフト１２３は、左右フレーム間に固定され、軸方向に沿って貫通孔が形成されている円筒部材１２５内に回転可能に収容されており、この貫通孔を介して前記釣糸案内体１２１に保持された係合ピンがエンドレスカム溝１２３ａと係合して、釣糸案内体１２１を左右に往復駆動するようになっている。また、前記釣糸案内体１２１は、往復駆動する際、ウォームシャフト１２３の回りでの回り止めが成されるように、左右フレーム間に支持された案内ピラー（図示せず）に支持されている。
【００４５】
前記ウォームシャフト１２３の右側板側の端部には、前記駆動歯車１１２と一体回転可能に軸方向に連設された歯車１１２ａと噛合する歯車１３０が嵌合するように設けられている。この歯車１３０には、ハンドル１０８の巻取り操作による回転駆動力がハンドル軸１０９、駆動歯車１１２及び歯車１１２ａを介して入力され、その回転駆動力がウォームシャフト１２３に出力されるようになっている。
【００４６】
また、本実施形態において、リール本体１０１の右側板１０３ｂには、ハンドル６の操作で連動回転する駆動部材としてのハンドル軸１０９を部分的に収容して軸受１４９により支持する収容凹部１５０が凹状に形成されている。また、この収容凹部１５０は、前述した逆転防止機構の一方向クラッチ１１０を内部に位置決め状態で収容保持する（収容凹部１５０内に逆転防止機構が設けられる）とともに、ハンドル１０８側に開口部１５０ａを有している。そして、この開口部１５０ａには、該開口部１５０ａと非磁性材料（例えば、銅合金、アルミ合金等）から成るハンドル軸１０９の外周面との間に磁気回路を形成し且つこの間に磁性流体を保持することにより開口部１５０ａをシールする磁気シール機構２００が設けられる。
【００４７】
本構成において、ハンドル軸１０９の右端部には、公知のドラグ機構１７０を構成する操作体１７１が螺合されている。この操作体１７１を回動操作すると、ハンドル軸１０９に軸方向移動可能に且つ一体回転可能に嵌合されたカラー部材である第１の押圧体１７３が軸方向に移動し、皿バネ１７５を介して一方向クラッチ１１０の内輪を兼ねる第２の押圧体１７７を押圧し、摩擦部材１７８を所望の押圧力で押圧し、ハンドル軸１０９と歯車１１２ａとの間で制動力を生じさせる。
【００４８】
ハンドル軸１０９の右端部は、前述したようにリール本体１０１（リール本体１０１を構成する右側板１０３ｂに形成された収容凹部１５０を形成する円筒状支持部１９０）に対して、軸受１４９によって回転可能に支持されている。この場合、軸受１４９は、カラー部材である第１の押圧体１７３上に設置されている。
【００４９】
軸受１４９および一方向クラッチ１１０をシールする磁気シール機構２００は、軸受１４９に対してハンドル１０８側に設置されており、ハンドル軸１０９を囲繞するように配されるリング状磁石５１と、これを保持（挟持）する保持部材５２と、ハンドル軸１０９に嵌合された第１の押圧体１７３に一体回転可能に嵌合（外嵌）され且つ少なくとも保持部材５２と対向する長さを有する筒状の磁性体５３と、リング状磁石５１と筒状の磁性体５３との間に保持される磁性流体（図示せず）とを備えて構成されている。なお、筒状の磁性体５３は、軸受１４９の内輪内周に嵌合されて留め具で軸方向規制されており、第１の押圧体１７３が軸方向移動しても追従して移動しないようになっている。
【００５０】
筒状の磁性体５３は、磁石５１と保持部材５２との間で磁気回路が生じる程度の長さを有していれば良く、本実施形態では、基端部にフランジ５３ｄを形成して、軸受１４９を抜け止め保持するようにしている。
【００５１】
上記構成の磁気シール機構２００のリング状磁石５１、これを保持する保持部材５２はいずれも、前記円筒状支持部１９０の内面に、軸受１４９に隣接して嵌合（内嵌）されており、保持部材５２の一方が円筒状支持部１９０の内面に止め輪１９２を介して抜け止め保持される非磁性のワッシャ１９３によって抜け止めされ、保持部材５２の他方が、非磁性のワッシャ１９７を介在させて軸受１４９に対して当て付けられている。
【００５２】
このような磁気シール機構２００によっても、上記した磁気シール機構と同様、収容凹部１５０内を確実にシールできるとともに、ハンドル軸１０９を磁性体で形成する必要がなくなり、腐食を防止できる。
【００５３】
また、本実施形態では、第１の押圧体１７３を磁性体で構成しても良い。このように構成することで、筒状の磁性体５３が不要となり、ドラグ機構の押圧体としての機能と、磁気シール機構の筒状の磁性体としての機能とを兼ね備えることが可能になる。
【００５４】
なお、本発明は、前述した実施形態に限定されず、その要旨を逸脱しない範囲で種々変形して実施できることは言うまでもない。例えば、上記構成の磁気シール機構は、各種の魚釣用リールの収容凹部（駆動部材を含む様々な駆動部を収容する凹状の空間）の開口部に適用可能であり、対象となるリールの種別や、その設置位置、設置形態は特に限定されるものではない。また、駆動部材に嵌合される筒状の磁性体については、外嵌されるものであってもよく、あるいは、内嵌されるものであってもよい。更に、磁気シール機構を構成するに際して、磁性流体を保持する磁石の構成、および、磁石を保持する構成、その保持部材の形状等についても適宜変形することが可能である。無論、図６に示した構成のように、保持部材を設けることなく、磁石を直接にリール本体に取着する構成であってもよい。更に、各図面に示した各構成については、適宜、組み合わせて実施することが可能である。
【符号の説明】
【００５５】
１  リール本体
４  スプール
６  ハンドル
８  ピニオン（駆動部材）
１０，１１０  一方向クラッチ
４０  収容凹部
４２  カバー部材
５０，２００  磁気シール機構
５１  磁石
５２  保持部材
５３  磁性体
５５  磁性流体
１０９  ハンドル軸（駆動部材）
【図１】
2010187566.tif 000003
【図２】
2010187566.tif 000004
【図３】
2010187566.tif 000005
【図４】
2010187566.tif 000006
【図５】
2010187566.tif 000007
【図６】
2010187566.tif 000008
【図７】
2010187566.tif 000009
【図８】
2010187566.tif 000010